(57)【要約】      （修正有）【課題】端末がネットワーク側デバイスによって予め割り当てられたネットワークリソースに基づいて後続サービスを処理し、処理効率と応答速度とを向上するリソース割り当て方法、デバイス及びシステムを提供する。【解決手段】リソース割り当て方法は、端末デバイスは、ネットワーク側デバイスが端末サービス予測情報に基づいて予め割り当てたネットワークリソースを取得し、ネットワークリソースによって、後続サービスを処理することを含む。【選択図】図３
2020178352.tif 000002
【特許請求の範囲】
【請求項１】
リソース割り当て方法であって、
端末デバイスは、ネットワーク側デバイスが端末サービス予測情報に基づいて予め割り当てたネットワークリソースを取得し、前記ネットワークリソースによって、後続サービスを処理することを含む、
ことを特徴とする前記リソース割り当て方法。
【請求項２】
前記端末デバイスが、ネットワーク側デバイスが端末サービス予測情報に基づいて予め割り当てたネットワークリソースを取得し、前記ネットワークリソースによって、後続サービスを処理することは、
前記端末デバイスは、ネットワーク側デバイスが前記端末サービス予測情報に基づいて予め割り当てたネットワークリソースと、前記ネットワークリソースに対応する発効条件とを取得することと、
前記発効条件を満たす場合、前記端末デバイスは、前記ネットワークリソースによって、相応のサービスを処理することと、
を含む、
ことを特徴とする請求項１に記載のリソース割り当て方法。
【請求項３】
前記発効条件は、
時間条件、及び／又は、位置条件、及び／又は、ユーザの振る舞いを含む、
ことを特徴とする請求項２に記載のリソース割り当て方法。
【請求項４】
前記端末デバイスが、ネットワーク側デバイスが前記端末サービス予測情報に基づいて予め割り当てたネットワークリソースを取得し、前記ネットワークリソースによって、後続サービスを処理することは、
前記端末デバイスが、ネットワーク側デバイスが前記端末サービス予測情報に基づいて予め割り当てたネットワークリソース、及びリソース有効タイマーを取得することと、
前記端末デバイスが、前記リソース有効タイマーの有効期間で、前記ネットワークリソースによって後続のサービスを処理することと、
前記端末デバイスが、前記リソース有効タイマーが失効になる時に、正常アクセス及びデータ伝送プロセスを採用して、ネットワークアクセスとサービスの伝送を行うことと、
を含む、
ことを特徴とする請求項１に記載のリソース割り当て方法。
【請求項５】
前記端末デバイスが、ネットワーク側デバイスが前記端末サービス予測情報に基づいて予め割り当てたネットワークリソースを取得することは、
前記端末デバイスは、前記ネットワーク側デバイスより送信されるシグナリングメッセージを受信することと、
前記端末デバイスは、前記シグナリングメッセージを解析し、前記ネットワークリソース、又は、前記ネットワークリソースと前記ネットワークリソースに対応する発効条件とを取得することと、を含み、
ここで、前記シグナリングメッセージは、予め割り当てられたネットワークリソース、又は、前記ネットワークリソース、及び前記ネットワークリソースに対応する発効条件を含む、
ことを特徴とする請求項１〜４のいずれか１項に記載のリソース割り当て方法。
【請求項６】
前記シグナリングメッセージは、
状態確認メッセージ、又は、
状態変化許可メッセージ、又は、
接続解放メッセージを含む、
ことを特徴とする請求項５に記載のリソース割り当て方法。
【請求項７】
前記端末サービス予測情報は、振る舞い予測装置が前記端末デバイスの構成情報、及び／又は、前記端末デバイスのサービス特徴情報に基づいて取得し、前記サービス特徴情報は時間特徴情報、及び／又は、位置特徴情報を含む、
ことを特徴とする請求項１〜４のいずれか一項に記載のリソース割り当て方法。
【請求項８】
端末デバイスであって、第１の取得モジュールと処理モジュールとを含み、
前記第１の取得モジュールは、ネットワーク側デバイスが前記端末サービス予測情報に基づいて予め割り当てたネットワークリソースを取得するように構成され、
前記処理モジュールは、前記ネットワークリソースによって、後続サービスを処理するように構成される、
ことを特徴とする前記端末デバイス。
【請求項９】
前記第１の取得モジュールは、ネットワーク側デバイスが前記端末サービス予測情報に基づいて予め割り当てたネットワークリソースと、前記ネットワークリソースに対応する発効条件とを取得するように構成され、
前記処理モジュールは、前記発効条件を満たす場合、前記端末デバイスが、前記ネットワークリソースによって、相応のサービスを処理するように構成される、
ことを特徴とする請求項８に記載の端末デバイス。
【請求項１０】
前記発効条件は、
時間条件、及び／又は、位置条件、及び／又は、ユーザの振る舞いを含む、
ことを特徴とする請求項９に記載の端末デバイス。
【請求項１１】
前記第１の取得モジュールは、ネットワーク側デバイスが前記端末サービス予測情報に基づいて予め割り当てたネットワークリソース、及びリソース有効タイマーを取得するように構成され、
前記処理モジュールは、前記リソース有効タイマーの有効期間で、前記ネットワークリソースによって後続のサービスを処理するように構成され、
前記処理モジュールは、さらに、前記リソース有効タイマーが失効になる時に、正常アクセス及びデータ伝送プロセスを採用して、ネットワークアクセスとサービスの伝送を行うように構成される、
ことを特徴とする請求項８に記載の端末デバイス。
【請求項１２】
前記第１の取得モジュールは、前記ネットワーク側デバイスより送信されるシグナリングメッセージを受信するように構成され、ここで、前記シグナリングメッセージは、予め割り当てられたネットワークリソース、又は、前記ネットワークリソース、及び前記ネットワークリソースに対応する発効条件を含み、
前記処理モジュールは、前記シグナリングメッセージを解析し、前記ネットワークリソース、又は、前記ネットワークリソースと前記ネットワークリソースに対応する発効条件とを取得するように構成される、
ことを特徴とする請求項８〜１１のいずれか１項に記載の端末デバイス。
【請求項１３】
前記シグナリングメッセージは、
状態確認メッセージ、又は、
状態変化許可メッセージ、又は、
接続解放メッセージを含む、
ことを特徴とする請求項１２に記載の端末デバイス。
【請求項１４】
前記端末サービス予測情報は、振る舞い予測装置が前記端末デバイスの構成情報、及び／又は、前記端末デバイスのサービス特徴情報に基づいて取得し、前記サービス特徴情報は時間特徴情報、及び／又は、位置特徴情報を含む、
ことを特徴とする請求項８〜１１のいずれか一項に記載の端末デバイス。
【発明の詳細な説明】
【技術分野】
【０００１】
本発明は通信分野に関し、特にリソース割り当て方法、デバイス及びシステムに関する。
【背景技術】
【０００２】
従来の通信ネットワークにおいて、ユーザに対するすべての操作は、ポストトリガー式であり、即ち、ユーザから相関サービスを発生させる時に、ネットワーク側が対応するネットワークリソース割り当てを行うように、要求の方式でトリガーし、それの主なプロセスは図１を参照して具体的に下記のように説明する。
【０００３】
図１は、従来技術におけるネットワークリソース割り当てのインタラクションを示す図である。図１に示すように、ユーザがアイドルモードにある時に、相関サービスを行うとする場合、接続の確立、ネットワークリソース割り当て、データ伝送などの多くのフローを経由する必要があり、このような方式は、遅延が大きく、応答効果が芳しくない。
【発明の概要】
【０００４】
本発明は、相関技術における技術課題のうちの一つを少なくともある程度解決する趣旨をしている。
【０００５】
これを鑑みて、本発明の第１の目的は、リソース割り当て方法を提供し、当該リソース割り当て方法は、ネットワーク側デバイスが端末サービス予測情報に基づいて、後続サービスを処理するためのネットワークリソースを端末に予め割り当てることを実現し、端末サービスの処理効率と応答速度を向上させる。
【０００６】
本発明の第２の目的は、リソース割り当て方法を提供することである。
【０００７】
本発明の第３の目的は、リソース割り当て方法を提供することである。
【０００８】
本発明の第４の目的は、ネットワーク側デバイスを提供することである。
【０００９】
本発明の第５の目的は、端末デバイスを提供することである。
【００１０】
本発明の第６の目的は、振る舞い予測装置を提供することである。
【００１１】
本発明の第７の目的は、リソース割り当てシステムを提供することである。
【００１２】
上記の目的を達成するために、本発明の第１の態様の実施例において、リソース割り当て方法を提供し、ネットワーク側デバイスが、端末サービス予測情報に基づいて、後続サービスを処理するためのネットワークリソースを端末デバイスに予め割り当てることを含む。
【００１３】
本発明の実施例におけるリソース割り当て方法は、ネットワーク側デバイスが端末サービス予測情報に基づいて、後続サービスを処理するためのネットワークリソースを端末デバイスに予め割り当てることによって、端末はネットワーク側デバイスで予め割り当てられたネットワークリソースによって後続サービスを処理することを実現し、処理効率と応答速度とを向上させる。
【００１４】
上記の目的を達成するために、本発明の第２の態様の実施例において、リソース割り当て方法を提供し、端末デバイスが、ネットワーク側デバイスにより予め割り当てられたネットワークリソースを取得し、前記ネットワークリソースによって、後続サービスを処理することを含む。
【００１５】
本発明の実施例におけるリソース割り当て方法は、端末デバイスが、ネットワーク側デバイスにより予め割り当てられたネットワークリソースを取得し、前記ネットワークリソースによって、後続サービスを処理することによって、端末はネットワーク側デバイスで予め割り当てられたネットワークリソースによって後続サービスを処理することを実現し、処理効率と応答速度とを向上させる。
【００１６】
上記の目的を達成するために、本発明の第３の態様の実施例において、リソース割り当て方法を提供し、振る舞い予測装置が、端末サービス予測情報を取得することと、前記ネットワーク側デバイスが前記端末サービス予測情報に基づいて、後続サービスを処理するためのネットワークリソースを端末デバイスに予め割り当てることができるように、前記端末サービス予測情報をネットワーク側デバイスに送信することとを含む。
【００１７】
本発明の実施例におけるリソース割り当て方法は、振る舞い予測装置が、端末サービス予測情報を取得し、前記ネットワーク側デバイスが前記端末サービス予測情報に基づいて、後続サービスを処理するためのネットワークリソースを端末デバイスに予め割り当てることができるように、前記端末サービス予測情報をネットワーク側デバイスに送信することによって、端末はネットワーク側デバイスで予め割り当てられたネットワークリソースによって後続サービスを処理することを実現し、処理効率と応答速度とを向上させる。
【００１８】
上記の目的を達成するために、本発明の第４の態様の実施例において、ネットワーク側デバイスを提供し、端末サービス予測情報に基づいて、後続サービスを処理するためのネットワークリソースを端末デバイスに予め割り当てるように構成される割り当てモジュールを含む。
【００１９】
本発明の実施例におけるネットワーク側デバイスは、ネットワーク側デバイスが端末サービス予測情報に基づいて、後続サービスを処理するためのネットワークリソースを端末デバイスに予め割り当てることによって、端末はネットワーク側デバイスで予め割り当てられたネットワークリソースによって後続サービスを処理することを実現し、処理効率と応答速度とを向上させる。
【００２０】
上記の目的を達成するために、本発明の第５の態様の実施例において、端末デバイスを提供し、ネットワーク側デバイスにより予め割り当てられたネットワークリソースを取得するように構成される第１の取得モジュールと、前記ネットワークリソースによって、後続サービスを処理するように構成される処理モジュールとを含む。
【００２１】
本発明の実施例における端末デバイスは、端末デバイスが、ネットワーク側デバイスにより予め割り当てられたネットワークリソースを取得し、前記ネットワークリソースによって、後続サービスを処理することによって、端末はネットワーク側デバイスで予め割り当てられたネットワークリソースによって後続サービスを処理することを実現し、処理効率と応答速度とを向上させる。
【００２２】
上記の目的を達成するために、本発明の第６の態様の実施例において、振る舞い予測装置を提供し、端末サービス予測情報を取得するように構成される第２の取得モジュールと、前記ネットワーク側デバイスが前記端末サービス予測情報に基づいて、後続サービスを処理するためのネットワークリソースを端末デバイスに予め割り当てることができるように、前記端末サービス予測情報をネットワーク側デバイスに送信するように構成される送信モジュールとを含む。
【００２３】
本発明の実施例における振る舞い予測装置は、振る舞い予測装置が、端末サービス予測情報を取得し、前記ネットワーク側デバイスが前記端末サービス予測情報に基づいて、後続サービスを処理するためのネットワークリソースを端末デバイスに予め割り当てることができるように、前記端末サービス予測情報をネットワーク側デバイスに送信することによって、端末はネットワーク側デバイスで予め割り当てられたネットワークリソースによって後続サービスを処理することを実現し、処理効率と応答速度とを向上させる。
【００２４】
上記の目的を達成するために、本発明の第７の態様の実施例において、リソース割り当てシステムを提供し、上記の少なくとも一つのネットワーク側デバイスと、上記の少なくとも一つの端末デバイスとを含む。
【００２５】
本発明の実施例におけるリソース割り当てシステムは、ネットワーク側デバイスが端末サービス予測情報に基づいて、後続サービスを処理するためのネットワークリソースを端末デバイスに予め割り当てることによって、端末はネットワーク側デバイスで予め割り当てられたネットワークリソースによって後続サービスを処理することを実現し、処理効率と応答速度とを向上させる。
【図面の簡単な説明】
【００２６】
【図１】従来技術におけるネットワークリソース割り当てインタラクションの概略図である。
【図２】本発明の一つの実施例におけるリソース割り当て方法のフローチャートである。
【図３】本発明の別の一つの実施例におけるリソース割り当て方法のフローチャートである。
【図４】本発明の別の一つの実施例におけるリソース割り当て方法のフローチャートである。
【図５】本発明の別の一つの実施例におけるリソース割り当て方法のフローチャートである。
【図６】本発明の別の一つの実施例におけるリソース割り当て方法のフローチャートである。
【図７】本発明の別の一つの実施例におけるリソース割り当て方法のフローチャートである。
【図８】本発明の一つの実施例によるネットワーク側デバイスの構成ブロック図である。
【図９】本発明の別の一つの実施例によるネットワーク側デバイスの構成ブロック図である。
【図１０】本発明の別の一つの実施例によるネットワーク側デバイスの構成ブロック図である。
【図１１】本発明の一つの実施例による端末デバイスの構成ブロック図である。
【図１２】本発明の一つの実施例による振る舞い予測装置の構成ブロック図である。
【図１３】本発明の一つの実施例によるリソース割り当てシステムの構成ブロック図である。
【図１４】本発明の別の一つの実施例によるリソース割り当てシステムの構成ブロック図である。
【発明を実施するための形態】
【００２７】
下記において本発明の実施例を詳しく説明し、前記実施例の例が図面に示されており、その中、同じ又は類似の符号は、同じ又は類似の素子又は同じ又は類似の機能を有する素子を示す。下記の図面を参照して説明する実施例は、例示的なものであり、本発明を解釈するためのものであり、本発明に対する制限ではない。
【００２８】
下記において、図面を参照しながら本発明の実施例におけるリソース割り当て方法、デバイス及びシステムを説明する。
【００２９】
図１に示される従来の無線通信ネットワークにおいて、端末デバイスがサービスをトリガーする時に、ネットワーク側デバイスは端末デバイスとの接続が確立された後に、サービスを処理するネットワークリソースを端末デバイスに割り当てる。端末デバイスのサービス処理効率を向上させるために、本発明が提供するリソース割り当て方法は、
ネットワーク側デバイスは、端末サービス予測情報に基づいて、後続サービスを処理するためのネットワークリソースを端末デバイスに予め割り当てることを含む。
【００３０】
具体的に、本発明に係る端末デバイスのタイプが多く、例えば、ユビキタスネットワーク端末デバイス、車載端末デバイス、スマートフォン端末デバイス等を含み、本発明はこれに対して限定しない。
【００３１】
ネットワーク側デバイスは、端末サービス予測情報に基づいて、ネットワークリソースを端末デバイスに予め割り当てる。ここで、端末サービス予測情報の内容は多く、例えば端末ユーザの振る舞いに基づいて推測される情報、又は、端末ユーザのサービスに基づいて予め設定された情報を含む。
【００３２】
それによって、端末デバイスは、後続サービスを処理する時に、ネットワーク側デバイスと接続を確立してリソースを要求する必要をせず、ネットワーク側デバイスにより予め割り当てられたネットワークリソースによって、後続サービスを処理する。例えば、ネットワーク側デバイスにより予め割り当てられたリソースによって、次回のネットワークのアクセスを行い、又は次回のデータ伝送を行う。
【００３３】
本発明の実施例におけるリソース割り当て方法は、ネットワーク側デバイスが端末サービス予測情報に基づいて、後続サービスを処理するためのネットワークリソースを端末デバイスに予め割り当てることによって、端末のサービスを予測して端末に後続サービスを処理するためのネットワークリソースを予め割り当てて、端末サービスの処理効率と応答速度を向上させる。
【００３４】
上記の実施例に基づいて、さらに、端末デバイスにネットワークリソースをより充分に予め割り当てるために、本発明に提供されるリソース割り当て方法は、
ネットワーク側デバイスは、端末サービス予測情報に基づいて、後続サービスを処理するためのネットワークリソース、及び／又は前記ネットワークリソースに対応する発効条件を端末デバイスに予め割り当てることを含む。
【００３５】
具体的に、異なる端末デバイスは、異なるサービストリガー条件に対応し、例えば、ユビキタスネットワーク端末が毎晩２２：００にデータを伝送し、又は、車載端末が毎朝８時にＡからＢへの経路でデータをダウンロードする。そのため、ネットワーク側デバイスは、端末サービス予測情報に基づいて、ネットワークリソース及び／又は当該ネットワークリソースに対応する発効条件を端末デバイスに予め割り当てる。
【００３６】
ここで、ネットワークリソースに対応する発効条件は、時間条件、及び／又は、位置条件、及び／又は、ユーザの振る舞いを含み、実際の応用のニーズに応じで選択することができ、本実施例はこれに対して限定しない。
【００３７】
さらに、端末デバイスが予め割り当てられたネットワークリソースの発効条件を満たす場合、ネットワーク側により予め割り当てられたネットワークリソースによって、後続サービスを処理する。例を挙げて下記のように説明する。
【００３８】
例１において、ネットワーク側デバイスは、ネットワークリソース、及び当該ネットワークリソースに対応する発効条件をユビキタスネットワーク端末に予め割り当てる。
【００３９】
ユビキタスネットワーク端末のサービス予測情報が毎日２２：００にデータを伝送することである場合、ネットワーク側デバイスは、当該サービス予測情報に基づいて、所在のネットワークリソースを当該ユビキタスネットワーク端末に予め割り当てて、また当該ネットワークリソースに対応する発効条件を２２：００とするように構成する。
【００４０】
さらに、ユビキタスネットワーク端末は、現在時間が２２：００であることを検出した場合、即ち、ネットワークリソースの発効条件を満たす場合、ネットワーク側デバイスにより予め割り当てられたネットワークリソースによって、データを送信する。
【００４１】
例２において、ネットワーク側デバイスは、ネットワークリソース、及び当該ネットワークリソースに対応する発効条件をユーザの携帯電話に予め割り当てる。
【００４２】
ユーザの携帯電話のサービス予測情報が、毎日の２０：００に自宅でオンラインビデオを視聴することである場合、ネットワーク側デバイスは、当該サービス予測情報に基づいて、所在のネットワークリソースを当該ユーザの携帯電話に予め割り当てて、また当該ネットワークリソースに対応する発効条件を２０：００及び／又はユーザの自宅の位置とするように構成する。
【００４３】
さらに、ユーザ携帯電話は、現在時間が２２：００で、現在地が自宅であることを検出した場合、即ちネットワークリソースの発効条件を満たす場合、ネットワーク側デバイスにより予め割り当てられたネットワークリソースによって、オンラインビデオを視聴する。
【００４４】
本発明の実施例におけるリソース割り当て方法は、ネットワーク側デバイスは、端末サービス予測情報に基づいて、後続サービスを処理するためのネットワークリソース、及び前記ネットワークリソースに対応する発効条件を端末デバイスに予め割り当てることによって、端末サービスを予測することを通じて端末に後続サービスを処理するためのネットワークリソースを予め割り当てることを実現し、端末サービスの処理効率と応答速度を向上させ、より合理的にネットワークリソースを利用する。
【００４５】
上記の実施例に基づいて、さらに端末デバイスにネットワークリソースをより合理的、有効的に予め割り当てるために、本発明に提供されるリソース割り当て方法は、
ネットワーク側デバイスは、端末サービス予測情報に基づいて、後続サービスを処理するためのネットワークリソース及び／又はリソース有効タイマーを端末デバイスに予め割り当てることを含む。
【００４６】
具体的に、端末デバイスは、ネットワーク側デバイスにより予め割り当てられたネットワークリソース、及びリソース有効タイマーを受信する。それによって、リソース有効タイマーの有効期間で、後続のサービスを処理する。
【００４７】
当該リソース有効タイマーが失効になる時に、ネットワーク側デバイスは、割り当てられた後続サービスを処理するためのネットワークリソースを解放し、同時に、当該リソース有効タイマーが失効になる時に、端末デバイスは、その後、正常アクセス及びデータ伝送プロセスを採用して、ネットワークアクセスとサービスの伝送を行う。
【００４８】
本発明の実施例におけるリソース割り当て方法は、ネットワーク側デバイスが端末サービス予測情報に基づいて、後続サービスを処理するためのネットワークリソース、及びリソース有効タイマーを端末デバイスに予め割り当てることによって、端末サービスを予測することを通じて端末に後続サービスを処理するためのネットワークリソースを予め割り当てることを実現し、端末サービスの処理効率と応答速度を向上させ、より充分、合理的にネットワークリソースを利用する。
【００４９】
上記の実施例に基づいて、上記の実施例に係る端末サービス予測情報は、振る舞い予測装置によりネットワーク側デバイスに送信されるものである。
【００５０】
ここで、実際の応用ニーズに応じて、ネットワーク側に振る舞い予測装置を配備することができ、例を挙げて説明すると、
一例として、振る舞い予測装置をネットワーク側に独立して配備し、及び／又は、
一例として、振る舞い予測装置をネットワーク側デバイス内に配備することができる。
【００５１】
具体的に、振る舞い予測装置は、端末デバイスのサービス状況を予測し、端末サービス予測情報を取得する。ここで、振る舞い予測装置は、実際の応用ニーズに応じて、異なる方式を使用して端末サービス予測情報を取得することができ、例えば、
一例として、振る舞い予測装置は、端末デバイスの構成情報に基づいて、端末サービス予測情報を取得し、及び／又は、
一例として、振る舞い予測装置は、端末デバイスのサービス特徴情報に基づいて、端末サービス予測情報を取得する。ここで、前記サービス特徴情報は時間特徴情報、及び／又は、位置特徴情報を含む。
【００５２】
振る舞い予測装置は、端末サービス予測情報をネットワーク側デバイスに送信することによって、ネットワーク側デバイスは端末サービス予測情報に基づいて、後続サービスを処理するためのネットワークリソースを端末デバイスに予め割り当てる。
【００５３】
ここで、振る舞い予測装置は、実際の応用ニーズに応じて、複数の方式で端末サービス予測情報をネットワーク側デバイスに送信することができ、例えば、振る舞い予測装置は、ネットワーク側デバイスに主動的に送信する方式があり、即ち、ネットワーク側デバイスは前記振る舞い予測装置より送信される前記端末識別子に対応する端末サービス予測情報を直接受信する。又は、ネットワーク側デバイスは、振る舞い予測装置に主動的に要求する取得方式等がある。図２に示される実施例によって下記のように説明する。
【００５４】
図２は、本発明の別の一つの実施例におけるリソース割り当て方法のフローチャートである。
【００５５】
図２を参照し、前記端末サービス予測情報は、振る舞い予測装置によって前記ネットワーク側デバイスに送信するプロセスは、具体的に、ステップ１０１、ステップ１０２を含む。
【００５６】
ステップ１０１において、ネットワーク側デバイスは、端末デバイスが予め設定されたトリガーイベントを満たすことを検出した場合、前記振る舞い予測装置に、端末識別子を含む予測情報問い合わせ要求を送信する。
【００５７】
具体的に、予め設定されたトリガーイベントは、応用ニーズに応じて、設定することができ、例えば、ネットワーク側デバイスの端末デバイスに対する主動的な検出イベントであっても良く、又は端末デバイスがネットワーク側デバイスへ報告する状態イベント等であっても良く、例を挙げて下記のように説明する。
【００５８】
一例として、ネットワーク側デバイスは、端末デバイスが第１の状態から第２の状態に転換されたことを検出し、又は、
別の一例として、ネットワーク側デバイスは、端末デバイスにより送信された第１の状態から第２の状態に転換された状態変化要求メッセージを受信し、又は、
別の一例として、ネットワーク側デバイスは、端末デバイスにより送信された第１の状態から第２の状態に転換された変化完了通知メッセージを受信する。
【００５９】
なお、異なる応用場面に応じて、第１の状態と第２の状態との対応する内容が異なり、それに応じて第１の状態から第２の状態に転換されるプロセスも異なり、例えば、
接続状態からアイドル状態に転換されること、又は、
伝送状態から省エネルギー状態に転換されることを含む。
【００６０】
ステップ１０２において、前記ネットワーク側デバイスは、前記振る舞い予測装置からフィードバックされた、前記端末識別子に対応する端末サービス予測情報を受信する。
【００６１】
具体的に、振る舞い予測装置は、ネットワーク側デバイスにより送信された予測情報問い合わせ要求を解析し、端末識別子を取得する。
【００６２】
振る舞い予測装置は、予め記憶している当該端末識別子に対応する端末サービス予測情報をサーチし、当該端末サービス予測情報をネットワーク側デバイスに送信する。それによってネットワーク側デバイスは、端末サービス予測情報に基づいて、後続サービスを処理するためのネットワークリソースを端末デバイスに予め割り当てて、処理効率と応答速度とを向上させる。
【００６３】
本発明の実施例におけるリソース割り当て方法は、ネットワーク側デバイスによって、端末デバイスが予め設定されたトリガーイベントを満たすことを知った場合、振る舞い予測装置に、当該端末デバイスに対応する端末サービス予測情報を要求し、前記端末サービス予測情報に基づいて、後続サービスを処理するためのネットワークリソースを対応する端末デバイスに予め割り当てる。それによって、端末デバイスの満たされる予め設定されたトリガーイベントに基づいて、対応する予測端末サービスをリアルタイ的に取得することを実現し、それによって、端末に後続サービスを処理するためのネットワークリソースを予め割り当てて、処理効率と応答速度とを向上させる。
【００６４】
上記の実施例によって、ネットワーク側デバイスが後続サービスを処理するためのネットワークリソースを端末デバイスに割り当てる処理方式が多く、シグナリングメッセージでの構成を例として、図３と図４に示される実施例を通じて下記のように説明する。
【００６５】
図３は、本発明の別の一つの実施例におけるリソース割り当て方法のフローチャートである。
【００６６】
図３に示すように、前記ネットワーク側デバイスが端末サービス予測情報に基づいて、後続サービスを処理するためのネットワークリソースを端末デバイスに予め割り当てることは、
前記ネットワーク側デバイスは、前記端末デバイスが前記ネットワークリソースによって後続サービスを処理することができるように、前記ネットワークリソースの割り当て情報を、前記端末デバイスとインタラクションするためのシグナリングメッセージによって端末デバイスに送信することを含み、具体的に下記の実施過程を含む。
【００６７】
ステップ２０１において、ネットワーク側デバイスは、前記端末サービス予測情報に基づいて、前記ネットワークリソースの割り当て情報を含むシグナリングメッセージを生成する。
【００６８】
ステップ２０２において、前記ネットワーク側デバイスは、前記端末デバイスが前記ネットワークリソースの割り当て情報に基づいて後続サービスを処理することができるように、前記ネットワークリソースを含むシグナリングメッセージを、対応する端末デバイスに送信する。
【００６９】
図４は、本発明の別の一つの実施例におけるリソース割り当て方法のフローチャートである。
【００７０】
図４に示すように、前記ネットワーク側デバイスが端末サービス予測情報に基づいて、後続サービスを処理するためのネットワークリソースを端末デバイスに予め割り当てることは、
前記ネットワーク側デバイスは、前記端末デバイスが前記発効条件を満たす場合、前記ネットワークリソースによって、後続サービスを処理することができるように、前記ネットワークリソースの割り当て情報と、前記ネットワークリソースに対応する発効条件とを、前記端末デバイスとインタラクションするためのシグナリングメッセージによって、端末デバイスに送信することを含む。具体的に下記の実施過程を含む。
【００７１】
ステップ３０１において、ネットワーク側デバイスは、前記端末サービス予測情報に基づいて、前記ネットワークリソースの割り当て情報と、前記ネットワークリソースの割り当て情報に対応する発効条件とを含むシグナリングメッセージを生成する。
【００７２】
ステップ３０２において、前記端末デバイスが前記発効条件を満たす場合、前記ネットワークリソースの割り当て情報に基づいて後続サービスを処理することができるように、前記ネットワーク側デバイスは、前記ネットワークリソースと、前記ネットワークリソースに対応する発効条件とを含むシグナリングメッセージを、対応する端末デバイスに送信する。
【００７３】
具体的に、図３と図４に示される実施例における前記ネットワーク側デバイスと端末デバイスとのインタラクションするシグナリングメッセージのタイプが多く、例えば、状態変化許可メッセージ、状態確認メッセージ、接続解放メッセージを含むことができる。
【００７４】
一例として、シグナリングメッセージは状態変化許可メッセージである。
【００７５】
具体的に、ネットワーク側デバイスが端末デバイスにより送信される第１の状態から第２の状態に転換する状態変化要求メッセージを受信した場合、ネットワーク側デバイスは、端末デバイスに状態変化許可メッセージを送信する。ここで、状態変化許可メッセージは、端末デバイスに予め割り当てられたネットワークリソース、又は、端末デバイスに予め割り当てられたネットワークリソース、及び前記ネットワークリソースに対応する発効条件を含む。
【００７６】
又は、
別の一例として、シグナリングメッセージは状態確認メッセージである。
【００７７】
具体的に、ネットワーク側デバイスが端末デバイスにより送信される第１の状態から第２の状態に転換した変化完了通知メッセージを受信した場合、ネットワーク側デバイスは、端末デバイスに状態確認メッセージを送信する。ここで、状態確認メッセージは、端末デバイスに予め割り当てられたネットワークリソース、又は、端末デバイスに予め割り当てられたネットワークリソース、及び前記ネットワークリソースに対応する発効条件を含む。
【００７８】
別の一例として、接続解放メッセージである。
【００７９】
具体的に、ネットワーク側デバイスが現在端末デバイスとのネットワーク接続を解放することを確定した場合、ネットワーク側デバイスは、端末デバイスに接続解放メッセージを送信する。ここで、接続解放メッセージは、端末デバイスに予め割り当てられたネットワークリソース、又は、端末デバイスに予め割り当てられたネットワークリソース、及び前記ネットワークリソースに対応する発効条件を含む。
【００８０】
なお、上記は、単に例で説明し、応用ニーズに応じて、ネットワーク側デバイスと端末デバイスとのインタラクションするためのその他のシグナリングメッセージを適用することができる。
【００８１】
本発明の実施例におけるリソース割り当て方法は、ネットワーク側デバイスによって、端末サービス予測情報に基づいて、シグナリングメッセージによって、後続サービスを処理するためのネットワークリソースを端末デバイスに割り当てる。それによって、ネットワークリソースの割り当て効率を向上させ、処理リソースを節約し、端末の後続サービスを処理するためのネットワークリソースの事前割り当てを実現し、処理効率と応答速度とを向上させる。
【００８２】
上記の実施例に基づいて、異なる端末デバイスに対応するサービスタイプが異なり、そのため、異なる端末デバイスは異なる端末サービス予測情報に対応する。さらに、ネットワーク側デバイスが端末サービス予測情報に基づいて、対応する端末デバイスに予め割り当てられたネットワークリソースも相違する。
【００８３】
一例として、ネットワーク側デバイスは、アクセスネットワークデバイスである。
【００８４】
アクセスネットワークデバイスは、端末サービス予測情報に基づいて、アクセスネットワークのネットワークリソース、又は、アクセスネットワークのネットワークリソースと前記アクセスネットワークのネットワークリソースに対応する発効条件とを、対応する端末デバイスに予め割り当てる。
【００８５】
ここで、アクセスネットワークのネットワークリソースは、アクセスネットワークアクセスネットワークリソース、及び／又は、アクセスネットワークの伝送ネットワークリソース、及び／又は、アクセスネットワークの計算ネットワークリソース、及び／又は、アクセスネットワークの記憶ネットワークリソースを含む。
【００８６】
さらに、端末デバイスが複数のアクセスネットワークデバイスの間でハンドオーバーする時に、
前記アクセスネットワークデバイスとその他のアクセスネットワークデバイスとの間において、公共インターフェースエンティティ又は公共インターフェースによって、前記アクセスネットワークのネットワークリソース、及び／又は、前記アクセスネットワークのネットワークリソースに対応する発効条件を協調することをさらに含む。
【００８７】
別の一例として、ネットワーク側デバイスはコアネットワークデバイスである。
【００８８】
コアネットワークデバイスは、端末サービス予測情報に基づいて、コアネットワークのネットワークリソース、又は、コアネットワークのネットワークリソースと前記コアネットワークのネットワークリソースに対応する発効条件を対応する端末デバイスに予め割り当てる。
【００８９】
ここで、コアネットワークのネットワークリソースは、
コアネットワークの伝送ネットワークリソース、コアネットワークの計算ネットワークリソース、コアネットワークの記憶ネットワークリソースを含む。
【００９０】
本発明に提供されるリソース割り当て方法をより明確に説明するために、例を挙げて下記のように説明する。
【００９１】
具体的な実施例１は下記の通りである。
【００９２】
１）ＭＴＣ端末は、データ伝送後に、間もなく省エネルギー状態（Ｐｏｗｅｒ  Ｓａｖｉｎｇ  Ｍｏｄｅ）に入り、ＭＴＣ端末は、当該端末が間もなく省エネルギー状態に入ることをネットワーク側デバイス又はネットワーク側デバイスに知らせる。
【００９３】
２）ネットワーク側デバイスは、例えばＭＴＣ端末が毎晩ｘｘ時にデータを伝送するようなＭＴＣ端末の相応の構成情報に基づいて、ＭＴＣ端末が相応の時点上のネットワークリソース、例えば、ＰＲＡＣＨネットワークリソース又はアップリンクデータ送信ネットワークリソースを割り当てる（ＭＴＣ端末の位置が変わらなければ、ＴＡが変更されない）。
【００９４】
３）ネットワーク側デバイスは、状態確認メッセージ又は接続解放メッセージによって、ネットワークリソースの発効時間を含めて当該ネットワークリソースをＭＴＣ端末に送信する。
【００９５】
４）ＭＴＣ端末は、現在状態がネットワークリソースの発効時間を満たすことを検出し、ネットワーク側により予め割り当てられた相応のネットワークリソースによってアクセスし又はアップリンクデータを送信する。
【００９６】
具体的な実施例２は下記の通りである。
【００９７】
１）ユーザ端末は、セッション完了後に、間もなくサスペンド状態又はアイドル状態に入り、ユーザ端末は、当該端末が間もなくサスペンド状態又はアイドル状態に入ることをネットワーク側デバイスに知らせる。
【００９８】
２）ネットワーク側デバイスは、当該ユーザ端末の統計情報、例えば、毎晩９時前後に自宅でビデオを閲覧することに基づいて、ネットワークノードを協調し、ユーザ端末の相応時点でのネットワークリソースを割り当てる。
【００９９】
３）ネットワーク側デバイスは、状態確認メッセージ又は接続解放メッセージによって、ネットワークリソースの発効時間と相応のネットワークリソースの発効位置（例えば、アクセスのＣｅｌｌ  ＩＤ）を含めて当該ネットワークリソースをユーザ端末に送信する。
【０１００】
４）ユーザ端末は、相応の時点で相応の無線アクセスユニット（Ｃｅｌｌ  ＩＤ識別子）によってネットワークにアクセスしてサービスを送受信する。
【０１０１】
具体的な実施例３は下記の通りである。
【０１０２】
１）車両ユーザ端末は、前回伝送完了後に、間もなくアイドル状態又は省エネルギー状態に入り、ユーザ端末は、相応のシグナリングによって、当該端末が間もなくアイドル状態又は省エネルギー状態に入ることをネットワーク側デバイスに知らせる。
【０１０３】
２）ネットワーク側デバイスは、当該ユーザ端末の統計情報、例えば翌日朝７時にどのルートである場所に行くことに基づいて、複数のネットワークノードを協調して、相応時点のネットワークリソースセットを割り当てる。
【０１０４】
３）ネットワーク側デバイスは、状態確認メッセージ又は接続解放メッセージによって、ネットワークリソースの発効時間セット（ａ  ｓｅｔ  ｏｆ  ｔｉｍｅ  ｉｎｆｏｒｍａｔｉｏｎ）と相応のネットワークリソースの発効位置セット（ａ  ｓｅｔ  ｏｆ    ｃｅｌｌ  ＩＤ  ｉｎｆｏｒｍａｔｉｏｎ）を含めて、当該ネットワークリソースセットを送信する。
【０１０５】
４）ユーザ端末は、相応の時点で相応の無線アクセスユニットによってネットワークにアクセスしてサービスを送受信する。
【０１０６】
図５は、本発明の別の一つの実施例におけるリソース割り当て方法のフローチャートである。
【０１０７】
図５に示すように、本実施例に提供されるリソース割り当て方法は、端末デバイスに適用し、具体的に、ステップ４０１とステップ４０２を含む。
【０１０８】
ステップ４０１において、端末デバイスは、ネットワーク側デバイスにより予め割り当てられたネットワークリソースを取得する。
【０１０９】
ステップ４０２において、前記端末デバイスは、前記ネットワークリソースによって、後続サービスを処理する。
【０１１０】
具体的に、ネットワーク側デバイスが端末サービス予測情報に基づいて、ネットワークリソースを端末デバイスに予め割り当てる。なお、本発明に係る端末デバイスのタイプが多く、例えばユビキタスネットワーク端末デバイス、車載端末デバイス、スマートフォン端末デバイス等を含み、本実施例はこれに対して限定しない。
【０１１１】
それによって、端末デバイスは、ネットワーク側デバイスにより予め割り当てられたネットワークリソースを取得し、端末デバイスは、後続サービスを処理する時に、ネットワーク側デバイスと接続を確立してリソースを要求する必要がなく、ネットワーク側デバイスにより予め割り当てられたネットワークリソースによって後続サービスを処理する。例えば、ネットワーク側デバイスにより予め割り当てられたリソースによって、次回のネットワークのアクセスを行い、又は次回のデータ伝送を行う。
【０１１２】
本発明の実施例におけるリソース割り当て方法は、端末デバイスが、ネットワーク側デバイスにより予め割り当てられたネットワークリソースを取得し、前記ネットワークリソースによって、後続サービスを処理することによって、端末がネットワーク側デバイスで予め割り当てられたネットワークリソースによって後続サービスを処理することを実現し、端末サービスの処理効率と応答速度を向上させる。
【０１１３】
図６は、本発明の別の一つの実施例におけるリソース割り当て方法のフローチャートである。
【０１１４】
図６に示すように、本実施例に提供されるリソース割り当て方法は端末デバイスに適用し、具体的に、ステップ５０１とステップ５０２を含む。
【０１１５】
ステップ５０１において、端末デバイスは、ネットワーク側デバイスにより予め割り当てられたネットワークリソースと、前記ネットワークリソースに対応する発効条件とを取得する。
【０１１６】
ステップ５０２において、前記発効条件を満たす場合、前記端末デバイスは、前記ネットワークリソースによって、相応のサービスを処理する。
【０１１７】
具体的に、異なる端末デバイスが異なるサービストリガー条件に対応し、例えば、ユビキタスネットワーク端末である場合、毎晩２２：００にデータを伝送し、又は、車載端末である場合、毎朝８時にＡからＢへの経路でデータをアップ／ダウンロードする。そのため、ネットワーク側デバイスが端末サービス予測情報に基づいて、ネットワークリソースと、当該ネットワークリソースに対応する発効条件とを端末デバイスに予め割り当てる。
【０１１８】
ここで、ネットワークリソースに対応する発効条件は、時間条件、及び／又は、位置条件、及び／又は、ユーザの振る舞いを含み、実際の応用ニーズに応じて選択することができ、本実施例はこれに対して限定しない。
【０１１９】
さらに、端末デバイスは、予め割り当てられたネットワークリソースの発効条件を満たす場合、ネットワーク側で予め割り当てられたネットワークリソースによって後続サービスを処理する。
【０１２０】
本発明の実施例におけるリソース割り当て方法は、端末デバイスが、ネットワーク側デバイスにより予め割り当てられたネットワークリソースと、前記ネットワークリソースに対応する発効条件とを取得し、前記発効条件を満たす場合、前記端末デバイスは、前記ネットワークリソースによって相応のサービスを処理する。それによって、端末がネットワーク側デバイスで予め割り当てられたネットワークリソースと発効条件とによって、後続サービスを処理し、端末サービスの処理効率と応答速度を向上させ、ネットワークリソースをより充分、合理的に利用することができる。
【０１２１】
上記の実施例に対して、ネットワーク側デバイスが端末デバイスに後続サービスを処理するためのネットワークリソースを割り当てる処理方式が多く、シグナリングメッセージの方式で端末デバイスにネットワークリソースを送信する例として下記のように説明する。
【０１２２】
端末デバイスは、前記ネットワーク側デバイスにより送信される前記ネットワークリソースを含むシグナリングメッセージを受信する。
【０１２３】
端末デバイスは、前記シグナリングメッセージを解析して前記ネットワークリソースを取得する。
【０１２４】
ここで、前記シグナリングメッセージは、
状態確認メッセージ、又は、
状態変化許可メッセージ、又は、
接続解放メッセージを含む。
【０１２５】
本発明の実施例におけるリソース割り当て方法は、ネットワーク側デバイスが端末サービス予測情報に基づいて、シグナリングメッセージによって後続サービスを処理するためのネットワークリソースを端末デバイスに割り当てる。それによって、ネットワークリソースの割り当て効率を向上させ、処理リソースを節約し、端末の後続サービスを処理するためのネットワークリソースの事前割り当てを実現し、処理効率と応答速度とを向上させる。
【０１２６】
図７は本発明の別の一つの実施例におけるリソース割り当て方法のフローチャートである。
【０１２７】
図７に示すように、本実施例に提供されるリソース割り当て方法は、振る舞い予測装置に適用し、具体的に、ステップ６０１とステップ６０２を含む。
【０１２８】
ステップ６０１において、振る舞い予測装置は、端末サービス予測情報を取得する。
【０１２９】
ステップ６０２において、前記振る舞い予測装置は、前記ネットワーク側デバイスが前記端末サービス予測情報に基づいて、後続サービスを処理するためのネットワークリソースを端末デバイスに予め割り当てることができるように、前記端末サービス予測情報をネットワーク側デバイスに送信する。
【０１３０】
具体的に、実際の応用ニーズに応じて、ネットワーク側に振る舞い予測装置を配備することができ、例を挙げて下記のように説明する。
【０１３１】
一例として、振る舞い予測装置をネットワーク側に独立して配備することができ、及び／又は、
一例として、振る舞い予測装置をネットワーク側デバイス内に配備することができる。
【０１３２】
具体的に、振る舞い予測装置は、端末デバイスのサービス状況を予測し、端末サービス予測情報を取得する。ここで、振る舞い予測装置は、実際の応用ニーズに応じて、異なる方式を使用して端末サービス予測情報を取得することができ、例えば、
一例として、振る舞い予測装置は、端末デバイスの構成情報に基づいて、端末サービス予測情報を取得し、及び／又は、
一例として、振る舞い予測装置は、端末デバイスのサービス特徴情報に基づいて、端末サービス予測情報を取得する。ここで、前記サービス特徴情報は時間特徴情報、及び／又は、位置特徴情報を含む。
【０１３３】
振る舞い予測装置が端末サービス予測情報をネットワーク側デバイスに送信することによって、ネットワーク側デバイスは、端末サービス予測情報に基づいて、後続サービスを処理するためのネットワークリソースを端末デバイスに予め割り当てる。
【０１３４】
本発明の実施例におけるリソース割り当て方法は、振る舞い予測装置によってネットワーク側デバイスに端末サービス予測情報を送信し、ネットワーク側デバイスは、当該端末サービス予測情報に基づいて、後続サービスを処理するためのネットワークリソースを端末デバイスに割り当てる。それによって、端末サービス情報を予測して端末に後続サービスを処理するためのネットワークリソースを予め割り当てることを実現し、処理効率と応答速度とを向上させる。
【０１３５】
上記の実施例を実現するために、本発明は、ネットワーク側デバイスをさらに提供する。
【０１３６】
図８は、本発明の一つの実施例におけるネットワーク側デバイスの構成ブロック図である。
【０１３７】
図８に示すように、当該ネットワーク側デバイスは、割り当てモジュール１１を含む。
【０１３８】
割り当てモジュール１１は、端末サービス予測情報に基づいて、後続サービスを処理するためのネットワークリソースを端末デバイスに予め割り当てるように構成される。
【０１３９】
ここで、端末サービス予測情報の内容が多く、例えば、端末ユーザの振る舞いに基づいて推測される情報、又は、端末ユーザのサービスに基づいて予め設定された情報を含む。
【０１４０】
なお、上記のリソース割り当ての方法実施例の説明は、当該実施例のネットワーク側デバイスにも適用し、その実現原理と技術効果は同様であり、ここで省略する。
【０１４１】
さらに、上記の実施例に基づいて、前記割り当てモジュール１１は、
端末サービス予測情報に基づいて、後続サービスを処理するためのネットワークリソース、及び／又は前記ネットワークリソースに対応する発効条件を端末デバイスに予め割り当てるように構成される。
【０１４２】
ここで、前記発効条件は、
時間条件、及び／又は、位置条件、及び／又は、ユーザの振る舞いを含む。
【０１４３】
なお、上記のリソース割り当ての方法実施例の説明は、当該実施例のネットワーク側デバイスにも適用し、その実現原理と技術効果は同様であり、ここで省略する。
【０１４４】
さらに、上記の実施例に基づいて、前記割り当てモジュール１１は、
端末サービス予測情報に基づいて、後続サービスを処理するためのネットワークリソース、及び／又はリソース有効タイマーを端末デバイスに予め割り当てるように構成される。
【０１４５】
前記リソース有効タイマーは、
前記リソース有効タイマーが失効になった場合、ネットワーク側デバイスは、割り当てられた後続サービスを処理するためのネットワークリソースを解放し、同時に、
前記リソース有効タイマーが失効になった場合、端末デバイスは、その後、通常アクセスとデータ伝送のフローを使用してネットワークのアクセスとサービス伝送を行うことを含む。
【０１４６】
なお、上記のリソース割り当ての方法実施例の説明は、当該実施例のネットワーク側デバイスにも適用し、その実現原理と技術効果は同様であり、ここで省略する。
【０１４７】
上記の実施例に基づいて、さらに、前記端末サービス予測情報は、振る舞い予測装置により前記ネットワーク側デバイスに送信される。
【０１４８】
ここで、振る舞い予測装置は、実際の応用ニーズに応じて、複数の方式で端末サービス予測情報をネットワーク側デバイスに送信することができ、例えば、振る舞い予測装置は、ネットワーク側デバイスに主動的に送信する方式、即ち、ネットワーク側デバイスは、前記振る舞い予測装置により送信される前記端末識別子に対応する端末サービス予測情報を直接受信する。又は、ネットワーク側デバイスは、振る舞い予測装置に主動的に要求する取得方式等もあり得る。図９に示される実施例によって下記のように説明する。
【０１４９】
図９は、本発明の別の一つの実施例におけるネットワーク側デバイスの構成ブロック図である。
【０１５０】
図９に示すように、図８に示されることに基づいて、当該ネットワーク側デバイスは、をさらに含む。
【０１５１】
検出モジュール１２は、端末デバイスが予め設定されたトリガーイベントを満たすことを検出するように構成される。
【０１５２】
問い合わせモジュール１３は、前記振る舞い予測装置に端末識別子を含む予測情報問い合わせ要求を送信するように構成される。
【０１５３】
受信モジュール１４は、前記振る舞い予測装置によりフィードバックされる前記端末識別子に対応する端末サービス予測情報を受信するように構成される。
【０１５４】
具体的に、前記検出モジュール１２は、
一例として、端末デバイスより送信される第１の状態から第２の状態に転換する状態変化要求メッセージを受信し、又は、
一例として、端末デバイスより送信される第１の状態から第２の状態に転換した変化完了通知メッセージを受信し、又は、
一例として、端末デバイスが第１の状態から第２の状態に転換されたことを検出する、  ように構成される。
【０１５５】
ここで、前記第１の状態から第２の状態に転換することは、
一例として、接続状態からアイドル状態に転換すること、又は、
一例として、伝送状態から省エネルギー状態に転換すること、を含む。
【０１５６】
上記の例に基づいて、さらに、前記割り当てモジュール１１は、
前記端末デバイスが前記ネットワークリソースによって、後続サービスを処理することができるように、前記ネットワーク側デバイスは、前記ネットワークリソースの割り当て情報を前記端末デバイスとインタラクションするためのシグナリングメッセージによって端末デバイスに送信するように構成される。
【０１５７】
上記の例に基づいて、さらに、前記割り当てモジュール１１は、
前記端末デバイスが前記発効条件を満たす場合、前記ネットワークリソースによって、後続サービスを処理することができるように、前記ネットワーク側デバイスは、前記ネットワークリソースの割り当て情報と、前記ネットワークリソースに対応する発効条件とを、前記端末デバイスとインタラクションするためのシグナリングメッセージによって端末デバイスに送信するように構成され、
ここで、前記シグナリングメッセージは、
状態確認メッセージ、又は、
状態変化許可メッセージ、又は、
接続解放メッセージを含む。
【０１５８】
なお、上記のリソース割り当ての方法実施例の説明は、当該実施例のネットワーク側デバイスにも適用し、その実現原理と技術効果は同様であり、ここで省略する。
【０１５９】
上記の実施例に基づいて、異なる端末デバイスに対応するサービスタイプも異なり、そのため、異なる端末デバイスが異なる端末サービス予測情報に対応する。さらに、ネットワーク側デバイスが端末サービス予測情報に基づいて、対応する端末デバイスに予め割り当てられたネットワークリソースも相違する。
【０１６０】
一例として、前記ネットワーク側デバイスは、アクセスネットワークデバイスであり、  前記割り当てモジュール１１は、
後続サービスを処理するためのアクセスネットワークのネットワークリソースを端末デバイスに予め割り当てるように構成され、ここで、前記アクセスネットワークのネットワークリソースは、
アクセスネットワークのアクセスネットワークリソース、及び／又は、アクセスネットワークの伝送ネットワークリソース、及び／又は、
アクセスネットワークの計算ネットワークリソース、及び／又は、アクセスネットワークの記憶ネットワークリソースを含む。
【０１６１】
さらに、前記割り当てモジュール１１は、
後続サービスを処理するためのアクセスネットワークのネットワークリソース、及び前記アクセスネットワークのネットワークリソースに対応する発効条件を端末デバイスに予め割り当てるように構成される。
【０１６２】
さらに、図１０は、本発明の別の一つの実施例におけるネットワーク側デバイスの構成ブロック図である。
【０１６３】
図１０に示すように、図９に示されることに基づいて、当該ネットワーク側デバイスは、協調モジュール１５をさらに含む。
【０１６４】
協調モジュール１５は、その他のアクセスネットワークデバイスとの間で、公共インターフェースエンティティ又は公共インターフェースを介して、前記アクセスネットワークのネットワークリソース、及び／又は、前記アクセスネットワークのネットワークリソースに対応する発効条件を協調するように構成される。
【０１６５】
一例として、前記ネットワーク側デバイスはコアネットワークデバイスであり、
前記割り当てモジュール１１は、
後続サービスを処理するためのコアネットワークのネットワークリソースを端末デバイスに予め割り当てるように構成され、ここで、前記コアネットワークのネットワークリソースは、
コアネットワークの伝送ネットワークリソース、及び／又は、コアネットワークの計算ネットワークリソース、及び／又は、コアネットワークの記憶ネットワークリソースを含む。
【０１６６】
さらに、前記割り当てモジュール１１は、
後続サービスを処理するためのコアネットワークのネットワークリソースと、前記コアネットワークのネットワークリソースに対応する発効条件とを端末デバイスに予め割り当てるように構成される。
【０１６７】
なお、上記のリソース割り当ての方法実施例の説明は、当該実施例のネットワーク側デバイスにも適用し、その実現原理と技術効果は同様であり、ここで省略する。
【０１６８】
上記の実施例を実現するために、本発明は端末デバイスも提供する。
【０１６９】
図１１は、本発明の一つの実施例による端末デバイスの構成ブロック図である。
【０１７０】
図１１に示すように、当該端末デバイスは、第１の取得モジュール２１と処理モジュール２２を含む。
【０１７１】
第１の取得モジュール２１は、ネットワーク側デバイスにより予め割り当てられたネットワークリソースを取得するように構成される。
【０１７２】
処理モジュール２２は、前記ネットワークリソースによって、後続サービスを処理するように構成される。
【０１７３】
なお、上記のリソース割り当ての方法実施例の説明は、当該実施例の端末デバイスにも適用し、その実現原理と技術効果は同様であり、ここで省略する。
【０１７４】
さらに、
前記第１の取得モジュール２１は、ネットワーク側デバイスにより予め割り当てられたネットワークリソースと、前記ネットワークリソースに対応する発効条件とを取得するように構成される。
【０１７５】
前記処理モジュール２２は、前記発効条件を満たす場合、前記端末デバイスは、前記ネットワークリソースによって、相応のサービスを処理するように構成される。
【０１７６】
ここで、前記発効条件は、
時間条件、及び／又は、位置条件、及び／又は、ユーザの振る舞いを含む。
【０１７７】
なお、上記のリソース割り当ての方法実施例の説明は、当該実施例の端末デバイスにも適用し、その実現原理と技術効果は同様であり、ここで省略する。
【０１７８】
さらに、
前記第１の取得モジュール２１は、前記ネットワーク側デバイスより送信されるシグナリングメッセージを受信するように構成され、ここで、前記シグナリングメッセージは、予め割り当てられたネットワークリソース、又は、前記ネットワークリソース、及び前記ネットワークリソースに対応する発効条件を含み、
前記処理モジュール２２は、前記シグナリングメッセージを解析し、前記ネットワークリソース、又は、前記ネットワークリソースと前記ネットワークリソースに対応する発効条件とを取得するように構成される。
【０１７９】
ここで、前記シグナリングメッセージは、
状態確認メッセージ、又は、
状態変化許可メッセージ、又は、
接続解放メッセージを含む。
【０１８０】
なお、上記のリソース割り当ての方法実施例の説明は、当該実施例の端末デバイスにも適用し、その実現原理と技術効果は同様であり、ここで省略する。
【０１８１】
上記の実施例を実現するために、本発明は、振る舞い予測装置も提供している。
【０１８２】
図１２は、本発明の一つの実施例による振る舞い予測装置の構成ブロック図である。
【０１８３】
図１２に示すように、当該振る舞い予測装置は、第２の取得モジュール３１と送信モジュール３２を含む。
【０１８４】
第２の取得モジュール３１は、端末サービス予測情報を取得するように構成される。
【０１８５】
送信モジュール３２は、前記ネットワーク側デバイスが前記端末サービス予測情報に基づいて、後続サービスを処理するためのネットワークリソースを端末デバイスに予め割り当てることができるように、前記端末サービス予測情報をネットワーク側デバイスに送信するように構成される。
【０１８６】
具体的に、前記第２の取得モジュール３１は、
端末デバイスの構成情報に基づいて、端末サービス予測情報を取得し、及び／又は、
端末デバイスのサービス特徴情報を統計して端末サービス予測情報を取得するように構成され、
ここで、前記サービス特徴情報は、
時間特徴情報、及び／又は、位置特徴情報を含む。
【０１８７】
なお、上記のリソース割り当ての方法実施例の説明は、当該実施例の振る舞い予測装置にも適用し、その実現原理と技術効果は同様であり、ここで省略する。
【０１８８】
上記の実施例を実現するために、本発明はリソース割り当てシステムも提供している。
【０１８９】
図１３は、本発明の一つの実施例によるリソース割り当てシステムの構成ブロック図である。
【０１９０】
図１３に示すように、当該リソース割り当てシステムは、少なくとも一つのネットワーク側デバイス１００と、少なくとも一つの端末デバイス２００とを含む。
【０１９１】
ここで、前記ネットワーク側デバイス１００は、
アクセスネットワークデバイス３００、及び／又は、コアネットワークデバイス４００を含む。
【０１９２】
なお、上記のリソース割り当ての方法実施例の説明は、当該実施例のリソース割り当てシステムにも適用し、その実現原理と技術効果は同様であり、ここで省略する。
【０１９３】
図１４は、本発明の別の一つの実施例におけるリソース割り当てシステムの構成ブロック図である。
【０１９４】
図１４に示すように、図１３に示される実施例にも基づいて、システムは、振る舞い予測装置５００をさらに含み、ここで、該例内のネットワーク側デバイス１００は、アクセスネットワークデバイス３００とコアネットワークデバイス４００とを含む。
【０１９５】
一例として、振る舞い予測装置５００は、前記ネットワーク側デバイス１００（図示せず）内に配備され、及び／又は、
一例として、振る舞い予測装置５００は、ネットワーク側（図１４に示すように）に独立して配備される。
【０１９６】
なお、上記のリソース割り当ての方法実施例の説明は、当該実施例のリソース割り当てシステムにも適用し、その実現原理と技術効果は同様であり、ここで省略する。
【０１９７】
本明細書において、参照用語としての「一つの実施例」、「幾つかの実施例」、「例」、「具体例」、又は「幾つかの例」などは、当該実施例又は例で記述する具体的な特徴、構造、材料又は特性を結合して、本発明の少なくとも一つの実施例又は例に含まれることを意味する。本明細書において、上記の用語の例示的な記述は、同じ実施例又は例を対象とする必要がない。また、記載される具体的な特徴、構造、材料又は特性は、いずれか一つ又は複数の実施例又は例内において適切な方式で結合することが可能である。それ以外、矛盾ではない前提で、当業者は、明細書に記載される異なる実施例又は例、及び異なる実施例又は例の特徴を結合して組み合わせることが可能である。
【０１９８】
また、用語「第１」、「第２」は比較的重要性を示し又は暗示しているわけではなく、単に説明のためのものであり、示される技術的特徴の数を暗示するわけでもない。そのため、「第１」、「第２」で限定される特徴は、少なくとも一つの当該特徴を明示又は暗示的に含むことが可能である。本開示の記載の中において、「複数」の意味は、明確的に限定される以外に、少なくとも二つ、例えば二つ、三つを指している。
【図１】
2020178352.tif 000003
【図２】
2020178352.tif 000004
【図３】
2020178352.tif 000005
【図４】
2020178352.tif 000006
【図５】
2020178352.tif 000007
【図６】
2020178352.tif 000008
【図７】
2020178352.tif 000009
【図８】
2020178352.tif 000010
【図９】
2020178352.tif 000011
【図１０】
2020178352.tif 000012
【図１１】
2020178352.tif 000013
【図１２】
2020178352.tif 000014
【図１３】
2020178352.tif 000015
【図１４】
2020178352.tif 000016